(57)【要約】      （修正有）【課題】欠落発生状況を可視化して、欠落の日時の特定や欠落の原因の分析を容易に行うことができる、画像データ生成装置及び画像データ生成方法を提供する。【解決手段】本発明に係る画像データ生成装置は、測定機器の測定値を含む情報から、測定値及び測定値に対応する測定時間を含む第１の情報と、測定値が欠落していた測定時間と測定時間に対応させて生成した代用値とを対応づけた第２の情報と、を生成する情報生成部と、測定時間の一部又は全部の範囲を指定して、少なくとも第２の情報を含む画像を表示させるための第１の画像データを生成する画像データ生成部２５と、を備える。【選択図】図２
2015069318.tif 000002
【特許請求の範囲】
【請求項１】
測定機器の測定値を含む情報から、前記測定値及び当該測定値に対応する測定時間を含む第１の情報と、前記測定値が欠落していた測定時間と当該測定時間に対応させて生成した代用値とを対応づけた第２の情報と、を生成する情報生成部と、
前記測定時間の一部又は全部の範囲を指定して、少なくとも前記第２のデータを含む画像を表示させるための第１の画像データを生成する画像データ生成部と、を備える、
ことを特徴とする画像データ生成装置。
【請求項２】
前記代用値は、前記測定値の欠落前に受信された測定値及び前記測定値の欠落後に受信された測定値に基づいて生成される、
ことを特徴とする請求項１に記載の画像データ生成装置。
【請求項３】
前記画像データ生成部は、前記第１の画像データと、前記指定された測定時間の範囲は同一で、且つ、少なくとも前記代用値が異なる第２の画像データを生成する、
ことを特徴とする請求項１又は請求項２に記載の画像データ生成装置。
【請求項４】
前記情報生成部により生成された前記第１の情報と前記第２の情報とを蓄積する情報蓄積部と、
前記測定時間の一部又は全部の範囲を指定して前記第１の情報と前記第２の情報とを検索する情報検索部と、をさらに備える、
ことを特徴とする請求項１〜３のいずれか１項に記載の画像データ生成装置。
【請求項５】
測定機器の測定値を含む情報から、前記測定値及び当該測定値に対応する測定時間を含む第１の情報と、前記測定値が欠落していた測定時間と当該測定時間に対応させて生成した代用値とを対応づけた第２の情報と、を生成し、
前記測定時間の一部又は全部の範囲を指定して、少なくとも前記第２の情報を含む画像を表示させるための第１の画像データを生成する、
ことを特徴とする画像データ生成方法。
【発明の詳細な説明】
【技術分野】
【０００１】
本発明は、トレンドグラフを表示するための画像データを生成する画像データ生成装置及び画像データ生成方法に関する。
【背景技術】
【０００２】
プラント等のプロセスデータを遠方の制御装置が取得し、プロセスデータを表示し、プロセスデータの時間的変化からプラント状態を判断することが知られている（例えば、特許文献１参照）。
【０００３】
また、下記特許文献１には、判断部が、データの取得を判断し、データが取得できなかった場合には、取得リトライカウンタをインクリメントし、この取得リトライカウンタのインクリメント値が所定の数を越えたか否かを判断する。次に、判断部は、トレンドグラフ管理用データ管理メモリに最新表示データを時系列的に格納する。次に、データの表示方法が「バーグラフ」か、または「トレンドグラフ」か、を判断し、トレンドグラフならばトレンドグラフ表示処理を行うデータ表示方法が記載されている。
【先行技術文献】
【特許文献】
【０００４】
【特許文献１】特開平７−２０９０２６号公報
【発明の概要】
【発明が解決しようとする課題】
【０００５】
しかしながら、特許文献１に記載のデータ表示方法では、測定機器の測定値を含む情報の一部が欠落した場合のトレンドグラフ表示を行う場合に、所定の範囲の日時等を指定した上でトレンドグラフ表示を行うことができず、欠落発生状況を可視化して、欠落の日時の特定や欠落の原因の分析を容易に行うことが困難であった。
【０００６】
本発明のいくつかの態様は、このような課題に鑑みてなされたものであり、所定の範囲の日時等を指定した上でトレンドグラフ表示を行うことにより、欠落発生状況を可視化して、欠落の日時の特定や欠落の原因の分析を容易に行うことができる、画像データ生成装置及び画像データ生成方法を提供することを目的とする。
【課題を解決するための手段】
【０００７】
上記課題を解決するために、本発明に係る画像データ生成装置は、測定機器の測定値を含む情報から、前記測定値及び当該測定値に対応する測定時間を含む第１の情報と、前記測定値が欠落していた測定時間と当該測定時間に対応させて生成した代用値とを対応づけた第２の情報と、を生成する情報生成部と、前記測定時間の一部又は全部の範囲を指定して、少なくとも前記第２の情報を含む画像を表示させるための第１の画像データを生成する画像データ生成部と、を備えることを特徴とする。
【０００８】
また、本発明に係る画像データ生成方法は、測定機器の測定値を含む情報から、前記測定値及び当該測定値に対応する測定時間を含む第１の情報と、前記測定値が欠落していた測定時間と当該測定時間に対応させて生成した代用値とを対応づけた第２の情報と、を生成し、前記測定時間の一部又は全部の範囲を指定して、少なくとも前記第２の情報を含む画像を表示させるための第１の画像データを生成する、ことを特徴とする。
【発明の効果】
【０００９】
本発明によれば、測定機器の測定値を含む情報の一部が欠落した場合のトレンドグラフ表示を行う場合に、所定の範囲の日時等を指定した上でトレンドグラフ表示を行うことにより、欠落発生状況を可視化して、欠落の日時の特定や欠落の原因の分析を容易に行うことができる。
【図面の簡単な説明】
【００１０】
【図１】本発明の第１の実施形態に係るシステムの全体構成を示す図である。
【図２】図１に示したクライアントコンピュータ、サーバコンピュータ、及び、制御システムＧＷの各々が有する主な機能的構成を示すブロック図である。
【図３】本発明の第１の実施形態に係るサーバコンピュータ及びクライアントコンピュータの処理フローを示すフローチャートである。
【図４】本発明の第１の実施形態に係る測定機器の測定結果を時系列に並べた時系列データを示す図である。
【図５】本発明の第１の実施形態に係るトレンドグラフの一例を示した図である。
【図６】本発明の実施形態に係るトレンドグラフの各種表示形態の組み合わせを示した図である。
【図７】本発明の第２の実施形態に係るトレンドグラフの一例を示した図である。
【図８】本発明の第２の実施形態に係るトレンドグラフの一例を示した図である。
【図９】本発明の第２の実施形態に係るトレンドグラフの一例を示した図である。
【図１０】本発明の第３の実施形態に係るトレンドグラフの一例を示した図である。
【図１１】本発明の第３の実施形態に係るトレンドグラフの一例を示した図である。
【発明を実施するための形態】
【００１１】
以下、添付図面を参照しながら本発明の実施の形態について説明する。理解を容易にするため、各図面において同一の構成要素に対しては可能な限り同一の符号を付し、重複する説明は省略する。
【００１２】
［第１の実施形態］
まず、図１を参照して本発明の実施形態に係るシステムの全体構成を説明する。図１は、本発明の第１の実施形態に係るシステムの全体構成を示す図である。
【００１３】
図１に示すように、本発明の第１の実施形態に係るシステムは、クライアントコンピュータ１と、サーバコンピュータ２と、制御システムＧＷ（ゲートウェイ）３と、制御装置マンマシン４と、制御装置５と、流量計６と、圧力計７と、を備える。
【００１４】
流量計６及び圧力計７は測定処理を行う。流量計６は、水などの流体の流量を測定し、圧力計７は、水などの流体の流れの圧力を測定する。
【００１５】
ここでは、例示的に、流量計６及び圧力計７を挙げているが、温度等を検出する各種センサ機器、流量制御弁や圧力制御弁等の各種バルブを制御するバルブポジショナ、ポンプやファン等を動作させる各種アクチュエータ等でもよい。
【００１６】
制御装置５は、流量計６及び圧力計７と各種信号線を介して接続されており、測定機器の測定結果、すなわち、流体の流量、流体の流れの圧力（測定値）を取得する。さらに、測定機器を識別するための情報、測定処理の処理を識別するための情報をも取得する。
【００１７】
制御装置マンマシン４は、制御システムネットワーク９を介して、制御システムＧＷ３や制御装置５と接続されており、プラントを管理する管理者（ユーザ）と本発明の実施形態に係るシステムを構成する各種装置とのインターフェイスの役割を担う。
【００１８】
サーバコンピュータ２は、制御システムＧＷ３を通じて、制御システムネットワーク９に接続することができ、所定の周期で、又は、任意のタイミングで測定機器の測定結果、測定機器を識別するための情報、測定処理の処理を識別するための情報等の情報（測定機器の情報）を収集する。そして、後で詳述するが、サーバコンピュータ２は、流量計６及び圧力計７の測定機器の情報から生成された各種データ及び画像データをクライアントコンピュータ１に送信する。
【００１９】
クライアントコンピュータ１は、サーバコンピュータ２と上位システムネットワーク８を介して接続されている。そして、後で詳述するが、クライアントコンピュータ１は、サーバコンピュータ２が送信するサーバコンピュータ２により生成された画像データを受信し、画像を表示する。
【００２０】
図２は、図１に示したクライアントコンピュータ１、サーバコンピュータ２、及び、制御システムＧＷ３の各々が有する主な機能的構成を示すブロック図である。
【００２１】
図２に示すように、クライアントコンピュータ１は、表示部１１を備えている。また、サーバコンピュータ２は、機能的に、情報収集部２１、データ生成部２２、データ蓄積部２３、データ検索部２４、及び、画像データ生成部２５を備えている。
【００２２】
図２に示すサーバコンピュータ２の情報収集部２１は、制御システムＧＷ３を通じて、流量計６及び圧力計７の測定機器の情報を収集する。また、測定機器の情報は定期的に、又は、任意のタイミングで収集する。なお、測定機器の情報の収集は、時単位、日単位のほか、秒単位、分単位、週単位、月単位、年単位で定期的に実行してもよい。
【００２３】
また、情報収集部２１は、収集した流量計６及び圧力計７の測定結果の一部に欠落があるか否かを判定する。具体的には、流量計６及び圧力計７により測定された測定値がなんらかの理由で収集できなかった場合には、欠落があったと判定する。
【００２４】
情報収集部２１により収集された測定機器の情報のうち、特に測定機器の測定値は、図４に示すように、測定値と測定時間が対応するように、時系列に保持されている。具体的には、日時２０１０／０１／０１  １２：００：００に対応する値は“−”となっている、つまり測定値がないわけであるが、この場合は情報収集部２１が収集した測定結果に欠落があったと判定される（図４の「欠落」の項目が示す“Ｔｕｒｅ”）。なお、図４では、時系列に測定結果が６つ表示されているが、これは一例を挙げたに過ぎず、実際には、情報収集部２１により膨大な量の時系列の測定結果が収集される。
【００２５】
図２に示すサーバコンピュータ２のデータ生成部２２は、情報収集部２１により収集された測定機器の情報から、測定値及びその測定値に対応する測定時間を含む正常データ（第１の情報）を生成する。また、測定値が欠落していた測定時間とその測定時間に対応させて生成した代用値とを対応づけた欠落データ（第２の情報）を生成する。そして、データ生成部２２は、生成された正常データと欠落データとを、サーバコンピュータ２のデータ蓄積部２３に出力する。
【００２６】
次に、代用値を求める方法としては線形補間法がある。情報収集部２１により収集された測定結果のうち測定値に欠落がある場合は、測定値の欠落前に受信された測定値及び測定値の欠落後に受信された測定値に基づいて生成される。
【００２７】
ここで、代用値を求めるための線形補間法の一例を挙げる。以下のような式で代用値を求めることができる。代用値＝欠落直前の測定値＋（欠落直後の測定値−欠落直前の測定値）×（（欠落日時−欠落直前の測定値の測定日時）÷（欠落直後の測定値の測定日時−欠落直前の測定値の測定日時））。よって、図４に示すように、２０１０／０１／０１  １２：００：００では、流量計６及び圧力計７により測定された測定値が欠落しているが、測定値の欠落直前の２０１０／０１／０１  １１：００：００では値が“１２５０”と、測定値の欠落直後の２０１０／０１／０１  １３：００：００では値が“１３５０”となっており、測定値が欠落しておらず正常な値である。そこで、上式を用いると、代用値は、“１３００”と求められる。
【００２８】
また、測定値の欠落時より前の時間に測定値が存在しない場合は、測定値の欠落直後の測定値を代用値とし、測定値の欠落時より後の時間に測定値が存在しない場合は、測定値の欠落直前の測定値を代用値とすることもできる。さらに、測定値が一つも存在しない場合には、あらかじめ決めておいた適切な値を測定値とすることもできる。なお、サーバコンピュータ２のデータ生成部２２は、欠落データを生成する際に、一旦代用値の設定をせずに生成する。そして、欠落データに代用値を与える補間処理については、クライアントコンピュータ１において実行してもよい。
【００２９】
図２に示すサーバコンピュータ２のデータ蓄積部２３は、データ生成部２２から、受け取った正常データと欠落データとを適切にバッファリングしながら、これらの時系列データを、一定期間又は一定データ量で分割して時系列データを格納するファイルである時系列ファイルに書き込む。また、必要に応じて、時系列ファイルを管理するためのインデックスを作成・維持する。
【００３０】
また、時系列ファイルに格納された時系列データが、一定期間が経過した場合、又は、一定のデータ量を超えた場合は、先に格納された時系列データから削除することで容量を削減することができる。また、時系列データの削除は、必要に応じて、複数あるファイルを一つのファイルに纏めた後、削除することも好ましい。
【００３１】
図２に示すサーバコンピュータ２のデータ検索部２４は、データ蓄積部２３により蓄積された正常データと欠落データとを、正常データに含まれる測定値を測定した測定時間と欠落データの測定値が欠落していた測定時間の一部又は全部の範囲を指定することで検索を実行する。
【００３２】
具体的には、正常データ及び欠落データのうち、ユーザ（プラントの管理者等）の操作によるクライアントコンピュータ１からの要求に応じて指定された期間に対応する部分の正常データと欠落データとを、時系列ファイルを管理するためのインデックスを利用することにより、時系列ファイルの中から検索し抽出する。なお、必要に応じて、正常データと欠落データとが時系列ファイルに格納される前のバッファキャッシュされているものの中から抽出してもよい。
【００３３】
図２に示すサーバコンピュータ２の画像データ生成部２５は、データ検索部２４により検索された正常データと欠落データとを演算し、画像を表示するための画像データを生成する。具体的には、正常データと欠落データとから、正常データに含まれる測定値を測定した測定時間と欠落データの測定値が欠落していた測定時間の一部又は全部の範囲を指定し、画像データを生成する。また、画像データ生成部２５は、第１の画像データと、指定された測定時間の範囲は同一で、且つ、測定値及び／又は代用値が異なる第２の画像データを生成する。
【００３４】
そして、画像データ生成部２５は、生成された画像を表示するための画像データを、クライアントコンピュータ１の表示部１４に送信する。
【００３５】
クライアントコンピュータ１の表示部１１は、サーバコンピュータ２から送信された画像データをトレンドグラフとして画面上に表示する。具体的には、図５に示すようなトレンドグラフが画面上に表示される。ここで、時間１２：００：００と１５：００：００に対応する測定値は欠落しているため、上記で詳述したように、代用値（時間１２：００：００については“１３００”、時間１５：００：００については“１３６０”）が用いられている。
【００３６】
また、図５に示すように、測定値の欠落なく測定値が得られた測定時間１０：００：００、１１：００：００、１３：００：００、及び、１４：００：００については、実際の測定値に対応する点に黒丸印が付されており、測定値の欠落があった測定時間１２：００：００及び１５：００：００については、代用値に対応する点にバツ印が付されている。このように、正常データか、欠落データか、が明確に把握できるようなトレンドグラフを表示する。
【００３７】
さらに、図５に示すように、時間１０：００：００及び１１：００：００の測定値に対応する２つの黒丸印は実線で結ばれており、測定値の欠落がある時間１２：００：００を間に挟む、時間１１：００：００及び１３：００：００の測定値に対応する２つの黒丸印は破線で結ばれているが、このようなグラフ表示形態にすることで、測定値の欠落発生状況をより明確に可視化することができ、欠落の日時の特定や欠落の原因の分析をさらに容易に行うことができる。
【００３８】
なお、画像を表示する際、又は、表示した後において、画像の表示を変化させることもできる。例えば、上記で説明したように、実線を破線等の他の種類の線に変更したり、黒丸印の色を変更した丸印に変更したり、白抜きの丸印に変更したり等の変更も可能である。
【００３９】
このような画像の表示を変化させる場合は、ユーザからの指示により、再度、サーバコンピュータ２の画像データ生成部２５は、正常データと欠落データとを演算し、ユーザが所望する画像を表示するための画像データを生成する。そして、生成された画像データは、クライアントコンピュータ１の表示部１１に送信され、表示部１１は、その画像データを受信し、トレンドグラフを画面上に表示する。
【００４０】
図３は、本発明の第１の実施形態に係るサーバコンピュータ２とクライアントコンピュータ１の処理フローを示すフローチャートである。
【００４１】
図２及び図３に示すように、サーバコンピュータ２の情報収集部２１は、制御システムＧＷ３を通じて、流量計６及び圧力計７の測定結果を収集するための収集時間が来るのを待つ（図３に示すＳ１）。
【００４２】
次に、情報収集部２１は、収集時間になると、制御システムＧＷ３を通じて、流量計６及び圧力計７の測定結果を収集する（図３に示すＳ２）。
【００４３】
また、情報収集部２１は、収集した流量計６及び圧力計７の測定結果の一部に欠落があるか否かを判定する（図３に示すＳ３）。
【００４４】
そして、図２に示すサーバコンピュータ２のデータ生成部２２は、情報収集部２１により収集された測定結果から、正常データと欠落データとを生成する（図３に示すＳ４）。
【００４５】
次に、データ生成部２２は、生成された正常データと欠落データとを、サーバコンピュータ２のデータ蓄積部２３に出力する（図３に示すＳ５）。
【００４６】
次に、データ蓄積部２３は、受信した正常データと欠落データとを適切にバッファリング（バッファキャッシュ）（図３に示すＳ６）する。
【００４７】
次に、これらの時系列データを、一定期間又は一定データ量で分割して時系列データを格納するファイルである時系列ファイルに書き込む（図３に示すＳ７）。
【００４８】
また、必要に応じて、時系列ファイルを管理するためのインデックスを作成・維持する（図３に示すＳ８）。
【００４９】
次に、データ検索部２４は、データ蓄積部２３により蓄積された正常データと欠落データとを、測定時間の一部又は全部の範囲を指定することで検索を実行する（図３に示すＳ９）。
【００５０】
次に、画像データ生成部２５は、データ検索部２４により検索された正常データと欠落データとを演算し、画像を表示するための画像データを生成する（図３に示すＳ１０）。
【００５１】
次に、画像データ生成部２５は、生成された画像データは、クライアントコンピュータ１の表示部１４に送信される（図３に示すＳ１１）。
【００５２】
次に、クライアントコンピュータ１の表示部１４は、サーバコンピュータ２により出力された画像データをトレンドグラフとして画面上に表示する（図３に示すＳ１２）。
【００５３】
［第２の実施形態］
図７〜図９は、本発明の第２の実施形態に係るトレンドグラフの一例を示した図である。具体的には、チェックボックス１０１ａ、１０１ｂで表示態様を切替えるものである。また、図６は、本発明の実施形態に係るトレンドグラフの各種表示形態の組み合わせを示した図である。
【００５４】
ここで、図６に示す「線」、「点」、「欠落」の各項目は、図７〜図９に示す「線」、「点」、「欠落」のチェックボックスに対応している。例えば、図６の「線」が「ＯＮ」の場合は、図７〜図９に示す「線」のチェックボックスにチェックが入り、トレンドグラフの表示形態が線で表示されることになる。
【００５５】
また、図６に示す「正常データの表示」の項目については、「非表示」の場合は、正常データについてはトレンドグラフ表示が行われる際に使用されず、正常データについての画像は表示されない。一方で、「線と点」の場合は、正常データは線と点が使用され、トレンドグラフが表示される。また、「線のみ」の場合は、正常データは線のみが使用され、トレンドグラフが表示される。さらに、「点のみ」の場合は、正常データは点のみが使用され、トレンドグラフが表示される。なお、「欠落データの表示」の項目についても、上記で示した「正常データの表示」の項目の場合と同様である。
【００５６】
このように、トレンドグラフ表示を行う場合、正常データ及び欠落データの画像の表示／非表示の切り換えや、正常データ及び欠落データの画像の表示形態を適切に変化させることにより、欠落発生状況を可視化して、欠落の日時の特定や欠落の原因の分析を容易に行うことができる。
【００５７】
具体的には、正常データのみから生成されるトレンドグラフを表示したい場合は、サーバコンピュータ２の画像データ生成部２５は、正常データを演算し、ユーザが所望する画像を表示するための画像データを生成する。そして、生成された画像データは、クライアントコンピュータ１の表示部１４に出力され、表示部１４は、その画像データを受信し、トレンドグラフを画面上に表示する。
【００５８】
また、欠落データのみから生成されるトレンドグラフを表示したい場合は、サーバコンピュータ２の画像データ生成部２５は、欠落データを演算し、ユーザが所望する画像を表示するための画像データを生成する。そして、生成された画像データは、クライアントコンピュータ１の表示部１４に出力され、表示部１４は、その画像データを受信し、トレンドグラフを画面上に表示する。
【００５９】
図７に示す本発明の他の実施形態に係るトレンドグラフＦ１は、図６に示す複数の組み合わせのうち、パターン２を示している。
【００６０】
具体的には、図６に示すパターン２は、「線」の項目が「ＯＮ」、「点」の項目が「ＯＦＦ」、「欠落」の項目が「ＯＦＦ」、「正常データの表示」の項目が「線のみ」、「欠落データの表示」の項目が「非表示」であるが、図７に示すトレンドグラフを見ると、「線」のチェックボックス１０１ａにチェックが入っており、正常データについて、線のみが使用され、画面１００上に、トレンドグラフＦ１及びグラフ表示エリアＡ１を含む画像が表示されている。
【００６１】
また、上記で説明したように、トレンドグラフを表示する際には、正常データに含まれる測定値が測定された測定時間の一部又は全部の範囲を指定し、画像データを生成しているため、ユーザが望む所定の時間の範囲について、トレンドグラフを表示できる。
【００６２】
図８に示す本発明の他の実施形態に係るトレンドグラフＦ１は、図６に示す複数の組み合わせのうち、パターン７を示している。
【００６３】
具体的には、図６に示すパターン７は、「線」の項目が「ＯＦＦ」、「点」の項目が「ＯＦＦ」、「欠落」の項目が「ＯＮ」、「正常データの表示」の項目が「非表示」、「欠落データの表示」の項目が「点のみ」であるが、図８に示すトレンドグラフを見ると、「欠落」のチェックボックス１００ａにチェックが入っており、欠落データについて、点のみが使用され画面１００上に、トレンドグラフＦ１及びグラフ表示エリアＡ１を含む画像が表示されている。
【００６４】
また、上記で示したように、トレンドグラフを表示する際には、欠落データの測定値が欠落していた測定時間の一部又は全部の範囲を指定し、画像データを生成しているため、ユーザが望む所定の時間の範囲について、トレンドグラフを表示できる。
【００６５】
図９に示す本発明の他の実施形態に係るトレンドグラフＦ１は、図６に示す複数の組み合わせのうち、パターン５を示している。
【００６６】
具体的には、図６に示すパターン５は、「線」の項目が「ＯＮ」、「点」の項目が「ＯＦＦ」、「欠落」の項目が「ＯＮ」、「正常データの表示」の項目が「線のみ」、「欠落データの表示」の項目が「線と点」であるが、図９に示すトレンドグラフを見ると、「線」のチェックボックス１００ａにチェックが入っており、「欠落」のチェックボックス１００ａにチェックが入っている。よって、正常データについて、線（実線）のみが使用され、欠落データについては、線（破線）と点が使用され、画面１００上に、トレンドグラフＦ１及びグラフ表示エリアＡ１を含む画像が表示されている。
【００６７】
また、上記で示したように、トレンドグラフＦ１を表示する際には、正常データに含まれる測定値が測定された測定時間と欠落データの測定値が欠落していた測定時間の一部又は全部の範囲を指定し、画像データを生成しているため、ユーザが望む所定の時間の範囲について、トレンドグラフＦ１を表示できる。
【００６８】
なお、上記では、図６に示すいくつかの組み合わせについて説明を行ったが、パターン２、５、及び７以外のパターンについても同様に、それぞれのトレンドグラフＦ１を表示することができる。
【００６９】
[第３の実施形態]
図１０及び図１１は、本発明の第３の実施形態に係るトレンドグラフＦ１、Ｆ２の一例を示した図である。具体的には、チェックボックス１０１ａ、１０１ｂで表示態様を切替え、複数のトレンドグラフＦ１及びＦ２を表示するものである。
【００７０】
図１０に示すように、正常データ及び欠落データから生成された、時間軸は同一である複数のトレンドグラフＦ１及びＦ２の画像を画面上で重ね合わせて表示することもできる。なお、トレンドグラフＦ１とチェックボックス１００ａが対応しており、トレンドグラフＦ２とチェックボックス１００ｂが対応している。
【００７１】
また、図１１に示すように、正常データ及び欠落データから生成された時間軸は同一である複数のトレンドグラフＦ１及びＦ２の画像を、それぞれの画像が画面上で重ならないように上下方向に並べて表示することもできる。なお、並べた方については複数種類あり、画面上でそれぞれの画像が重ならないように、縦横方向に並べたり、斜め方向に並べたりすることもできる。なお、トレンドグラフＦ１とチェックボックス１００ａが対応しており、トレンドグラフＦ２とチェックボックス１００ｂが対応している。なお、図１０及び図１１も図７〜図９と同様に、チェックボックス１００ａ、１００ｂの項目をチェックすることで、画像の表示形態が切り替わる。
【００７２】
このように、時間軸が同じトレンドグラフＦ１及びＦ２を複数表示することにより、複数の測定機器の同一時間の測定結果を可視化することができ、複数の測定機器の欠落発生状況も可視化され、複数機器の測定値の欠落の日時の特定や欠落の原因の分析を容易に行うことができる。
【００７３】
なお、図１０及び図１１では、２つの画像をトレンドグラフ表示しているが、画像の数は、２つに限られず、３つ以上であってもよい。
【００７４】
また、複数のトレンドグラフの始点から終点までの時間幅は同じであるが、時間帯の異なる複数のトレンドグラフを表示することもできる。例えば、同じ測定機器の測定値を、異なる日の同一時間帯について可視化し、比較することができる。
【００７５】
このように、図７〜図１１に示すようなトレンドグラフＦ１、Ｆ２により、時間の推移に伴う測定値の変化が読み取れ、さらに欠落発生状況を可視化して、測定値が欠落している部分が一見して把握容易であり、欠落の日時の特定や欠落の原因の分析を容易に行うことができる。
【００７６】
また、図６には図示していないが、図７〜図１１に示す「強調」のチェックボックス１００ａ、１００ｂについては、「強調」のチェックボックス１００ａ、１００ｂにチェックを入れると、図示はしていない所定の制御部により、トレンドグラフＦ１、Ｆ２が強調されるように表示形態が変化する。例えば、制御部は、トレンドグラフＦ１、Ｆ２の線が太くなったり、トレンドグラフに含まれる点が大きくなったり、線又は点が光り輝いたりするように制御する。
【００７７】
さらに、図６には図示していないが、図７〜図１１に示す「色」のタブについては、このタグをクリックすることで複数の色が選択肢として出現し、ユーザが望む色を選択することで、トレンドグラフの色が変化する。なお、上記のようなトレンドグラフの表示形態の変化は、グラフの表示の際、又は表示した後においても行うことができる。
【００７８】
以上、具体例を参照しつつ本発明の実施の形態について説明した。しかし、本発明はこれらの具体例に限定されるものではない。すなわち、これらの具体例に、当業者が適宜設計変更を加えたものも、本発明の特徴を備えている限り、本発明の範囲に包含される。例えば、前述した各具体例が備える各要素およびその配置などは、例示したものに限定されるわけではなく適宜変更することができる。
【００７９】
例えば、図２に示すように、サーバコンピュータ２は、機能的に、情報収集部２１、データ生成部２２、データ蓄積部２３、データ検索部２４、及び、画像データ生成部２５を備えているが、情報収集部２１、データ生成部２２、データ蓄積部２３、データ検索部２４、及び、画像データ生成部２５の全部又は一部を、クライアントコンピュータ１が備えていてもよい。例えば、画像データ生成部２５が実行する、データ検索部２４により検索された正常データと欠落データとを演算し、画像を表示するための画像データの生成について、クライアントコンピュータ１で実行されてもよい。
【００８０】
また、情報収集部２１、データ生成部２２、データ蓄積部２３、データ検索部２４、及び、画像データ生成部２５の機能の一部を、クライアントコンピュータ１が備えていてもよい。例えば、サーバコンピュータ２のデータ生成部２２は、欠落データを生成する際に、一旦、代用値の設定をせずに生成する。そして、欠落データに代用値を与える補間処理については、クライアントコンピュータ１で実行してもよい。
【００８１】
また、前述した各実施の形態が備える各要素は、技術的に可能な限りにおいて組み合わせることができ、これらを組み合わせたものも本発明の特徴を含む限り本発明の範囲に包含される。
【符号の説明】
【００８２】
１：クライアントコンピュータ
２：サーバコンピュータ
２１：情報収集部
２２：データ生成部
２３：データ蓄積部
２４：データ検索部
２５：画像データ生成部
【図１】
2015069318.tif 000003
【図２】
2015069318.tif 000004
【図３】
2015069318.tif 000005
【図４】
2015069318.tif 000006
【図５】
2015069318.tif 000007
【図６】
2015069318.tif 000008
【図７】
2015069318.tif 000009
【図８】
2015069318.tif 000010
【図９】
2015069318.tif 000011
【図１０】
2015069318.tif 000012
【図１１】
2015069318.tif 000013